(57)【要約】      （修正有）【課題】炊飯器本体上枠の上面部の清掃性を向上する。【解決手段】本体と、本体の上面開口部を覆う外蓋と、本体内に設けられた外釜と、外釜と本体との間を覆う上枠５と、外釜内に着脱自在に収納された内釜と、内釜の上部開口部を覆い外蓋に取り付けられた内蓋と、内釜の下方に設けられ内釜を加熱する内釜加熱手段と、外蓋に設けられ内蓋を加熱する蓋加熱手段とを備えた炊飯器において、上枠５をフッ素樹脂５ｂで成形し、撥水性を高めた。【選択図】図５
2019058222.tif 000002
【特許請求の範囲】
【請求項１】
本体の上面開口部を覆う外蓋と、
前記本体内に設けられた外釜と、
該外釜の上面開口部と前記本体との間を覆う上枠と、
前記外釜内に着脱自在に収納された内釜と、
該内釜の上部開口部を覆い前記外蓋に取り付けられた内蓋と、
前記内釜の下方に設けられ該内釜を加熱する内釜加熱手段と、
前記外蓋に設けられ前記内蓋を加熱する蓋加熱手段とを備えた炊飯器において、
前記上枠の表面に撥水性の樹脂を配合して成形したことを特徴とする、炊飯器。
【請求項２】
前記撥水性の樹脂はフッ素樹脂であることを特徴とする、請求項１に記載の炊飯器。
【請求項３】
前記上枠の表面に撥水処理を施したことを特徴とする、請求項１に記載の炊飯器。
【請求項４】
前記撥水処理はフッ素コーティングを施したことを特徴とする、請求項３に記載の炊飯器。
【発明の詳細な説明】
【技術分野】
【０００１】
本発明は、炊飯器に関するものである。
【背景技術】
【０００２】
炊飯器は、本体上枠が特に汚れやすい箇所である。例えば、炊飯終了後、蓋を開けた時に内蓋表面に付着した露が落下して本体上枠の上面部を汚したり、またご飯を内鍋からよそう時にご飯粒をこぼして本体上枠の上面部を汚すことがある。そのため、清掃性を向上させる工夫をした炊飯器が提案されている。
【０００３】
特許文献１に示すものは、本体上枠の上面部にステンレス製のトレーを設け、容易に清掃できるように、このトレーを本体に対して着脱自在とした構成としたものである。
【先行技術文献】
【特許文献】
【０００４】
【特許文献１】特開２００３−２６５３０７号公報
【発明の概要】
【発明が解決しようとする課題】
【０００５】
上記した従来技術において、本体上枠の上面部に金属製のトレーを着脱自在として配置したものであるため、ステンレス製トレーの嵌合部の形状が複雑になり、取付け時に不完全な取付けをしてしまう可能性や、嵌合部から水が浸入する可能性があった。また、侵入した水により、隙間腐食が生じる課題があった。
【０００６】
本発明の目的は、金属製のトレーなどの別部品を設けることなく清掃性を向上することにある。
【課題を解決するための手段】
【０００７】
上記目的は、例えば特許請求の範囲に記載された構成により達成される。
【発明の効果】
【０００８】
本発明によれば、炊飯器本体上枠の上面部の清掃性を向上できる。
【図面の簡単な説明】
【０００９】
【図１】炊飯器の全体斜視図である。
【図２】同炊飯器の蓋が開いている状態の概略斜視図である。
【図３】同炊飯器の側面断面図である。
【図４】同炊飯器の上枠の斜視図である。
【図５】同炊飯器の上枠の成分構成の概略断面図である。
【図６】同炊飯器の上枠の成分構成の概略断面図である。
【発明を実施するための形態】
【００１０】
以下、本発明の一実施例について図面を用いて詳細に説明する。
【００１１】
図１は炊飯器の全体斜視図、図２は同炊飯器の蓋が開いている状態の概略斜視図、図３は同炊飯器の側面断面図(保護手段６は非表示)である。
【００１２】
図において、１は炊飯器の本体である。本体１内には有底の外釜７を有し、その外釜７に内釜４が着脱自在に挿入され、外釜７の上部には本体１につながる上枠５が設けられている。また、本体１の上面には、本体１と内釜４の上面開口部を覆う内蓋３を備えた外蓋２が開閉自在に設けられている。
【００１３】
内蓋３の下面周縁部には、内釜４の上端部に有するフランジ部４ａと密接するパッキン２２が設けられ、内釜４の上部開口を閉塞して密閉している。
【００１４】
本体１の上面には各種メニューの操作を行うための操作部３１が設けられている。また本体１の上面には、時刻表示や炊飯の進行状況、各種メニューの設定内容などを表示する液晶表示器などで構成された表示部３２を有し、操作部３１と連動し炊飯の開始や各種メニューやタイマー炊飯の設定などを行うことができる。
【００１５】
また、本体１には前後に回動可能なハンドル３３が取付けられており、本体１を自由に持ち運ぶことができる。
【００１６】
次に、本体１の内部構造について説明する。
【００１７】
外蓋２には蓋加熱手段１５が設けられ、これにより内蓋３の全面を均等に加熱するように設けられている。また、外蓋２は、ヒンジ軸２１によって本体１に開閉自在に支持されている。
【００１８】
内蓋３は内釜４の上部開口を覆い、内蓋３の周囲に設けられたパッキン２２と内釜４上端のフランジ部４ａとの当接によって気密を保つようにしている。
【００１９】
外釜７の底部下方には、内釜４を加熱するための内釜加熱手段１４が設けられており、これらは加熱コイルで構成され、対向する内釜４の部位を誘導加熱する。
【００２０】
また、外釜７の底部には内釜４の外側底部に当接するように温度センサー１８が設けられ、前記温度センサー１８によって検知した内釜４底部の温度情報を制御部１７に入力する。
【００２１】
上枠５は外蓋４を開けた時に、内蓋３表面に付着している露が上枠５の上枠上面５ｃに落下した場合に、その露が本体１の外側や内釜４側に流れ出ないように両側にリブを設け、内釜４側のリブの先端部を上枠上端部５ｅ、またこの上枠上端部５ｅの内側となる内釜４と対向する面を上枠着脱部５ｄとしている。
【００２２】
制御部１７は、温度センサー１８からの内釜４の温度情報によって内釜加熱手段１４と蓋加熱手段１５の動作を制御する。
【００２３】
内蓋３は、内釜４で発生した蒸気が貫通する内蓋蒸気通路１１と、本体１の蒸気口８と繋がる外蓋蒸気通路１２と、内蓋蒸気通路１１の上面に乗せられ、前記内蓋蒸気通路１１を塞ぐ調圧手段１３とで構成される。
【００２４】
調圧手段１３は、内蓋３を貫通した内蓋蒸気通路１１からの通路を狭くして形成した調圧台１３ｂの上に調圧ボール１３ａが設けられる構成となっている。そして、内釜４内部の蒸気圧が所定圧力より高まると、調圧ボール１３ａを持ち上げ、外蓋蒸気通路１２から圧力が抜け、蒸気口８を通して本体１外に排出される。またその圧力が所定圧力より低くなると、再び調圧ボール１３ａが内蓋蒸気通路１１を塞いで蒸気圧が高まる。この繰り返しで内釜４と内蓋３内の圧力が所定圧力に調整される。
【００２５】
また、この調圧ボール１３ａは、制御部１７からの信号によって動作するソレノイドからなる開放手段１６によって任意に動かされ、内釜４の圧力を自由に調整できる。
【００２６】
図４は同炊飯器の上枠の斜視図、図５は同炊飯器の上枠の成分構成の概略断面図である。
【００２７】
本体１の上部を覆っている上枠５は、図５に示すようにフッ素樹脂５ｂを配合した樹脂により成形されている。その方法は練り込みでもマスターバッチでもどちらでも可能である。
【００２８】
ご飯粒や汚れが落としやすくなる最低限のフッ素樹脂５ｂ配合率は５％であり、これ以上の配合率とすることが望ましい。また、上枠５の成形材はＰＰ（ポリプロピレン）を想定しているが、この他にＰＢＴ（ポリブチレンテレフタレート）やＰＣ（ポリカーボネート）などを用いても良い。
【００２９】
また別の方法として、フッ素樹脂５ｂ以外の撥水性の樹脂を配合しても良い。
【００３０】
更に、図６に示すように表面に撥水性の処理を用いる方法もあり、例えば、フッ素コーティング５aを用いる方法などが挙げられる。
【００３１】
本実施例は以上の構成となり、次に炊飯工程についてその動作を説明する。
【００３２】
使用者は内釜４に所要量の洗米した米と水加減した適量の水を入れ、本体１内に収納し、外蓋２を閉じる。
【００３３】
次に、操作部３１にある操作ボタンを操作することによって炊飯が開始される。使用者が設定した工程を制御部１７に収められた炊飯プログラムに従って、温度センサー１８の温度情報を基に炊飯量に応じて内釜加熱手段１４、蓋加熱手段１５の動作を制御して内釜４が加熱される。
【００３４】
やがて、内釜４内が沸騰すると、調圧手段１３によって調圧機能が働き、調圧手段１３を通った蒸気は蒸気口８から噴出し蒸気量を調整することで、内釜４の内部を一定の圧力に保つ。
【００３５】
その後、内釜４内部の水が無くなると、内釜４の底部の温度が急激に上昇するのを温度センサー１８によって検出すると、制御部１７は加熱を弱め、蒸らしの工程に移行し一定時間蒸らすと炊飯が完了する。
【００３６】
次に炊飯後の状況について説明する。
【００３７】
炊きあがったご飯をよそうため外蓋２を開けると、内蓋３表面に付着している露が上枠５の上枠上面５ｃに落下する場合がある。上枠上面５ｃを濡らしてしまった場合、すぐに拭けば問題ないが、そのまま放置すると水垢として残ってしまうことがある。
【００３８】
また、ご飯をよそう際に、ご飯粒を上枠上面５ｃに落下させてしまい、汚してしまう場合がある。更には、落下したご飯粒に気付かずにそのまま放置してしまった場合、上枠上面５ｃに汚れがこびり付き、頑固な汚れとして残ってしまうことも有り得る。
【００３９】
しかし、樹脂製の上枠５に撥水性の樹脂として例えばフッ素樹脂５ｂが配合されているため、前記水垢やご飯粒がこびりつきにくくなっており、容易に拭き掃除で清掃することができる。また、ステンレス製のトレーなどと違い、成形品単体でそのまま使用することができるので、嵌合部も発生せず、従って水の侵入やそれによって生じる隙間腐食なども生じる心配がない。また、成形品単体で使用するため、使用者が着脱時に不完全な取付けをされることもない。
【００４０】
尚、別の方法として、表面に撥水性の処理として、例えばフッ素コーティング５aを用いる場合であれば、製作時の工程は増えるが、より均一な撥水膜を表面に配置することができるので、上記と同等以上の効果が期待できるものである。
以上のように、上枠５をフッ素樹脂５ｂ配合樹脂で成形するなど、撥水性を向上させる方法を用いることにより、汚れがこびりつきにくくにくく、清掃をより簡単に行うことができる炊飯器を提供することができる。
【符号の説明】
【００４１】
１・・・本体、２・・・外蓋、３・・・内蓋、４・・・内釜、４ａ・・・フランジ部、５・・・上枠、５a・・・フッ素コーティング、５ｂ・・・フッ素樹脂、５ｃ・・・上枠上面、１４・・・内釜加熱手段、１５・・・蓋加熱手段、１７・・・制御部
【図１】
2019058222.tif 000003
【図２】
2019058222.tif 000004
【図３】
2019058222.tif 000005
【図４】
2019058222.tif 000006
【図５】
2019058222.tif 000007
【図６】
2019058222.tif 000008